(57)【要約】      （修正有）【課題】使用目的に合わせて運動器具に着脱自在に取り付ける部品を、該運動器具に収納することができ、該運動器具の使用、もしくは収納に便利な運動器具を提供する。【解決手段】円の中心に第１軸支部１１を形成し、かつ第１支軸部を中心点として環状に配列する球体支持座２１を具える。前後に対称の一対の嵌着孔１４を形成して第１嵌着部とするベース板１０と、第１嵌着部に対応する第２嵌着部５４を具え、ベース板に回動自在に設けられるとともに、球体支持座を設ける位置に対応する位置にレール５３を一体に形成する。別途嵌着孔に対応する第２嵌着部を形成し、かつ底面の両端にはそれぞれ第１収納室５５を形成した回転盤５０と、弓状桿３１を具える。弓状桿の両端にそれぞれ第１嵌着部を形成し、かつ第１嵌着部にベース板の嵌着孔に着脱自在に嵌着する嵌着突起部３２を一体に形成し、かつ選択的に第２嵌着部に嵌着突起部を嵌着させて第１収納室に収納できるように構成した二つの把持部３０と、を具えてなる。【選択図】図１
0003191847.tif 000002
【実用新案登録請求の範囲】
【請求項１】
円の中心に第１軸支部を形成し、かつ該第１支軸部を中心点として環状に配列する少なくとも１組以上の球体支持座を具えるとともに、前後に対称の一対の嵌着孔を形成して第１嵌着部とするベース板と、
該第１嵌着部に対応する第２嵌着部を具え、該ベース板に回動自在に設けられるとともに、該球体支持座を設ける位置に対応する位置にレールを一体に形成してなり、別途該嵌着孔に対応する第２嵌着部を形成し、かつ底面の両端にはそれぞれ第１収納室を形成した回転盤と、
弓状桿を具え、該弓状桿の両端にそれぞれ第１嵌着部を形成し、かつ該第１嵌着部に該ベース板の嵌着孔に着脱自在に嵌着する嵌着突起部を一体に形成し、かつ選択的に該第２嵌着部に該嵌着突起部を嵌着させて該第１収納室に収納できるように構成した二つの把持部と、を具えてなることを特徴とする運動器具。
【請求項２】
前記弓状桿の両側の外部表面が、円弧線を描く曲面を形成するか、もしくは傾斜面であることを特徴とする請求項１に記載の運動器具。
【請求項３】
前記球体支持座が対向する一対の第１板体と、対向する一対の第２板体とを該ベース板に立設してなり、かつ該第１板体と該第２板体とによって囲まれた立方状の空間を球体支持空間とするとともに、該球体支持座は、それぞれの該第１板体の中心を通過する線が該第１軸支部に向かい、該球体支持空間に転動体を軸支し、該転動体は、該球体支持座の上端開口部から突出して該回転盤に接触し、かつ回動自在に設けられることを特徴とする請求項１、もしくは請求項２に記載の運動器具。
【請求項４】
前記それぞれの第１板体には、上端縁部から溝の幅が下方に向かって漸縮するガイド溝を形成し、かつ、溝底端部に該ガイド溝に連通する軸溝を形成し、該ガイド溝の底端部の幅を該軸溝の直径に比して狭くし、該軸溝に該転動体を軸支する支軸を設けることを特徴とする請求項３に記載の運動器具。
【請求項５】
前記支軸の両端から緩衝体をそれぞれ挿通させ、かつ該緩衝体の一端該転動体に穿設した軸支孔に挿設して該転動体と該第１板体２１１との間に介在させることを特徴とする請求項４に記載の運動器具。
【請求項６】
前記回転盤の底面両端部に該把持部の第１嵌着部に対応する第３嵌着部を設け、該嵌着突起部を着脱自在に嵌着できるようにしたことを特徴とする請求項１、もしくは請求項２に記載の運動器具。
【請求項７】
前記回転盤の上面両端部に該把持部の第１嵌着部に対応する第３嵌着部を設け、該嵌着突起部を着脱自在に嵌着できるようにしたことを特徴とする請求項１、もしくは請求項２に記載の運動器具。
【考案の詳細な説明】
【技術分野】
【０００１】
この考案は運動器具に関し、特に、身体のツイスト運動、ババランス運動などを行うためのツイスト運動器具に関する。
【背景技術】
【０００２】
従来の運動器具において、ツイスト運動を行うか、バランス運動を行うか、選択することができる運動器具には、台湾実用新案登録第１０２２０８５４３号に開示されるものがある。該実用新案公報に開示される運動器具は、踏板の底面中央の位置に、凸状体を着脱自在に設ける。バランス運動を行う場合は、該凸状体を踏板底面に取り付け、ツイスト運動を行う場合は、該凸状体を取り外す。しながら、構造上の関係で該凸状体を使用しない場合、該凸状体を運動器具の適宜な位置に暫時取り付けて保管することができない。よって、該凸状体を遺失する恐れがあり、かつ該凸状体のみを別途他の箇所に収納することは使用上不便である。
【先行技術文献】
【特許文献】
【０００３】
【特許文献１】台湾実用新案登録第１０２２０８５４３号公報
【考案の概要】
【考案が解決しようとする課題】
【０００４】
この考案は、使用目的に合わせて運動器具に着脱自在に取り付ける部品を、該運動器具に収納することができ、該運動器具の使用、もしくは収納に便利な運動器具を提供することを課題とする。
【課題を解決するための手段】
【０００５】
そこで、本考案者は従来の技術に見られる欠点に基づいて鋭意研究を重ねた結果、円の中心に第１軸支部を形成し、かつ該第１支軸部を中心点として環状に配列する少なくとも１組以上の球体支持座を具えるとともに、前後に対称の一対の嵌着孔を形成して第１嵌着部とするベース板と、該第１嵌着部に対応する第２嵌着部を具え、該ベース板に回動自在に設けられるとともに、該球体支持座を設ける位置に対応する位置にレールを一体に形成してなり、別途該嵌着孔に対応する第２嵌着部を形成し、かつ底面の両端にはそれぞれ第１収納室を形成した回転盤と、弓状桿を具え、該弓状桿の両端にそれぞれ第１嵌着部を形成し、かつ該第１嵌着部に該ベース板の嵌着孔に着脱自在に嵌着する嵌着突起部を一体に形成し、かつ選択的に該第２嵌着部に該嵌着突起部を嵌着させて該第１収納室に収納できるように構成した二つの把持部と、を具えてなる運動器具によって課題を解決できる点に着眼し、係る知見に基づいて本考案を完成させた。以下この考案について説明する。
【０００６】
請求項１に記載する運動器具は、円の中心に第１軸支部を形成し、かつ該第１支軸部を中心点として環状に配列する少なくとも１組以上の球体支持座を具えるとともに、前後に対称の一対の嵌着孔を形成して第１嵌着部とするベース板と、
該第１嵌着部に対応する第２嵌着部を具え、該ベース板に回動自在に設けられるとともに、該球体支持座を設ける位置に対応する位置にレールを一体に形成してなり、別途該嵌着孔に対応する第２嵌着部を形成し、かつ底面の両端にはそれぞれ第１収納室を形成した回転盤と、
弓状桿を具え、該弓状桿の両端にそれぞれ第１嵌着部を形成し、かつ該第１嵌着部に該ベース板の嵌着孔に着脱自在に嵌着する嵌着突起部を一体に形成し、かつ選択的に該第２嵌着部に該嵌着突起部を嵌着させて該第１収納室に収納できるように構成した二つの把持部と、を具えてなる。
【０００７】
請求項２に記載する運動器具は、請求項１における弓状桿の両側の外部表面が、円弧線を描く曲面を形成するか、もしくは傾斜面である。
【０００８】
請求項３に記載する運動器具は、請求項１、もしくは請求項２における球体支持座が対向する一対の第１板体と、対向する一対の第２板体とを該ベース板に立設してなり、かつ該第１板体と該第２板体とによって囲まれた立方状の空間を球体支持空間とするとともに、該球体支持座は、それぞれの該第１板体の中心を通過する線が該第１軸支部に向かい、該球体支持空間に転動体を軸支し、該転動体は、該球体支持座の上端開口部から突出して該回転盤に接触し、かつ回動自在に設けられる
【０００９】
請求項４に記載する運動器具は、請求項３におけるそれぞれの第１板体には、上端縁部から溝の幅が下方に向かって漸縮するガイド溝を形成し、かつ、溝底端部に該ガイド溝に連通する軸溝を形成し、該ガイド溝の底端部の幅を該軸溝の直径に比して狭くし、該軸溝に該転動体を軸支する支軸を設ける。
【００１０】
請求項５に記載する運動器具は、請求項４における支軸の両端から緩衝体をそれぞれ挿通させ、かつ該緩衝体の一端該転動体に穿設した軸支孔に挿設して該転動体と該第１板体２１１との間に介在させる。
【００１１】
請求項６に記載する運動器具は、請求項１、もしくは請求項２における回転盤の両側に該把持部の第１嵌着部に対応する第３嵌着部を設け、該嵌着突起部を着脱自在に嵌着できるようにした。
【００１２】
請求項７に記載する運動器具は、請求項１、もしくは請求項２における回転盤の上面両端部に該把持部の第１嵌着部に対応する第３嵌着部を設け、該嵌着突起部を着脱自在に嵌着できるようにした。
【図面の簡単な説明】
【００１３】
【図１】この考案による運動器具の分解図である。
【図２】この考案におけるベース板を底面側から見た斜視図である。
【図３】この考案による運動器具の断面図である。
【図４】この考案におけるベース板の構造を示した説明図である。
【図５】この考案による運動器具の局部拡大断面図である、
【図６】この考案による運動器具の他の局部拡大断面図である
【図７】この考案による運動器具の底面図である。
【図８】この考案における回転盤の局部拡大断面図である。
【図９】この考案による運動器具の使用態様を示した説明図である。
【図１０】他の実施形態による運動器具の底面側から見た斜視図である
【図１１】図１０に開示する運動器具の局部拡大断面図である。
【図１２】他の実施形態による運動器具の使用態様を示した説明図である。
【図１３】図１２に開示する運動器具における把持部の状態を示した説明図である。
【図１４】図１２に開示する運動器具における把持部の他の状態を示した説明図である。
【図１５】この考案による運動器具の他の使用態様を示した説明図である。
【図１６】この考案による運動器具のその他の使用態様を示した説明図である。
【図１７】この考案による運動器具の別の使用態様を示した説明図である。
【考案を実施するための形態】
【００１４】
この考案は、使用目的に合わせて運動器具に着脱自在に取り付ける部品を、該運動器具に収納することができ、該運動器具の使用、もしくは収納に便利な運動器具を提供するものであって、円の中心に第１軸支部を形成し、かつ該第１支軸部を中心点として環状に配列する少なくとも１組以上の球体支持座を具えるとともに、前後に対称の一対の嵌着孔を形成して第１嵌着部とするベース板と、該第１嵌着部に対応する第２嵌着部を具え、該ベース板に回動自在に設けられるとともに、該球体支持座を設ける位置に対応する位置にレールを一体に形成してなり、別途該嵌着孔に対応する第２嵌着部を形成し、かつ底面の両端にはそれぞれ第１収納室を形成した回転盤と、弓状桿を具え、該弓状桿の両端にそれぞれ第１嵌着部を形成し、かつ該第１嵌着部に該ベース板の嵌着孔に着脱自在に嵌着する嵌着突起部を一体に形成し、かつ選択的に該第２嵌着部に該嵌着突起部を嵌着させて該第１収納室に収納できるように構成した二つの把持部と、を具えてなる。係る運動器具の構造と特徴を詳述するために、具体的な実施例を挙げ、図面を参照にして以下に説明する。
【実施例】
【００１５】
この考案による運動器具は、円盤状のベース板１０と、二つの把持部３０と、矩形を呈する回転盤５０と、を含んでなる。
【００１６】
図１から８に開示するように、ベース板１０は、円の中心に第１軸支部１１を形成し、第１支軸部１１には第１貫通孔１２を穿設する。第１貫通孔１２には、底面側から締結部材１３を挿通させる。
【００１７】
また、ベース板１０には、第１支軸部１１を中心にして前後対称に、方形の嵌着孔１４をそれぞれ二つずつ穿設する。さらに、ベース板１０には第１支軸部１１を中心にして同心円を描き環状に３列配列される複数の球体支持部２０を形成する。球体支持部２０は、等間隔で配置された複数の球体支持座２１を具えてなる。
【００１８】
図３から６に開示するように、球体支持座２１は対向する一対の第１板体２１１と、対向する一対の第２板体２１５とをベース板１０上に立設してなり、かつ第１板体２１１と第２板体２１５とによって囲まれた立方状の空間を球体支持空間２１２とする。さらに、それぞれの球体支持座２１は、両第１板体２１１の中心を通過する線が第１軸支部１１に向かい、放射線状を描くように配置する。
【００１９】
また、それぞれの第１板体２１１には、上端縁部からガイド溝２１３を形成する。ガイド溝２１３は、溝の幅が下方に向かって漸縮し、溝底端部に軸溝２１４を形成する。ガイド溝２１３は軸溝２１４に連通し、ガイド溝２１３の底端部の幅は軸溝２１４の直径に比して狭くする。さらに、ガイド溝２１３と軸溝２１４は、構造上の強度を考慮して、第１板体２１１の内壁に凹状に形成し、板体を貫通しない。
【００２０】
球体支持座２１には、転動体２３を回動自在に設ける。転動体５４２３は、図２に開示するように球体の中心点を通過する軸支孔２３１を穿設してなり、支軸２２を挿通させ、さらに支軸２２には両端から緩衝体２４をそれぞれ挿通させ、かつ緩衝体２４の一端を軸支孔２３１に挿設して転動体２３と第１板体２１１との間に介在させる。緩衝体２４を設けることによって転動体２３が回転する際に摩擦熱によって軸支孔２３１、もしくは第１板体２１１の内壁を摩耗して軸支孔２３１の口径、もしくは両第１板体２１１の内壁の幅が広がることを防ぐ。
【００２１】
図６に開示するように、転動体２２に挿通した支軸２２の両端をそれぞれガイド溝２１３から軸溝２１４に押し入れて軸支する。軸支した支軸２２は第１支持部１１に向かい、転動体２３は球体支持座２１の上端開口部から突出して回動自在に設けられる。転動体２３は支軸２２によって軸支され、かつ第１板体２１１と第２板体２１５によって支軸２２に沿った水平方向の動きが制限され、球体支持座２２から外れることがない。
【００２２】
図１、図１０、１１に開示するように、二つの把持部３０は、それぞれ弓状桿３１によってなり、弓状桿３１の両端には、それぞれ第１嵌着部を形成する。第１嵌着部には、ベース板１０の嵌着孔１４に着脱自在に嵌着する嵌着突起部３２を一体に形成し、かつ嵌着突起部３２には凹状の挿入溝３３を形成する。
【００２３】
回転盤５０は、ベース板１０上に回動自在に設ける。回転盤５０の中央の位置には、ベース板１０の第１軸支部１１に対応する軸状の突起部を一体に形成して第２軸支部５１とする。また、第２軸支部５１の突起した一端には凹状の収納溝５１１を形成し、かつ収納溝５１１の底面には第１軸支部１１の第１貫通孔１２に対応する第２貫通孔５１２を穿設する。
【００２４】
また、締結部材１３を回転盤５０側から第２貫通孔５１２と第１貫通孔１２に挿通させてナット１３１を螺着し、第１軸支部１１に第２軸支部を軸支する。さらに、収納溝５１１にはキャップ５１３を嵌着して閉じる。
【００２５】
また、回転盤５０は底面側のベース板２０に対応する位置に円形を描く収納壁５２を一体に形成する。収納壁５２は下方に向かって突起し、かつベース板２０の外周面が収納される大きさにする。
【００２６】
また、回転盤５０の底面には、図５、６に開示するように、ベース板１０の球体支持部を構成する球体支持座２１の対応する位置、即ち同心円を描き環状に３列配列されるレール５０を一体に形成する、転動体２３は、外周面の一点がレール５３内において回転盤５０と接触し、回動自在に軸支される。
【００２７】
また、回転盤５０の底面は平坦な面とするか、もしくは好ましい硬度を具える材質によって別途底面となる部材を取り付けてもよい。
【００２８】
図１１に開示するように、回転盤５０の底面には、把持部３０を構成する弓状桿３１の嵌着孔１４に対応する位置に第２嵌着部５４を形成する。第２嵌着部５４は把持部３０の嵌着突起部３２に形成した挿入溝３３に嵌着させることができる。
【００２９】
図１、３、７、１０に開示するように、回転盤５０の長手方向の両端縁部に近接した位置であって、収納壁５２の外部の位置には、それぞれ左右対称の第１収納室５５を形成する。第１収納室５５は凹状に形成され、把持部３０が場所を占めることなく収納される。また、嵌着突起部３２に対応する位置には、係合板５５１を形成し、把持部３０を第１収納室５５に着脱自在に固定する。把持部３０を取り出す場合は弓状桿３１を引くことで嵌着突起部３２と係合板５５１との係合を開放することができる。
【００３０】
図９に開示するように、この考案による運動器具を用いてツイスト運動を行う場合は、把持部３０を第１収納室５５に固定してベース板１０を地面に置く。次いで回転盤５０を踏み、腰を回転させる。この場合、回転盤５０が往復して回転する。
【００３１】
図３、５、６に開示するように、レール５３は転動体２３に接して摩擦し、転動体２３は支軸２２によって回転する方向が制限される。係る構成は、使用時における騒音を低減させるのみならず、回転盤５０が敏感に回転し、かつ転動体２３が予期せず外れることを防ぐ。
【００３２】
図１０、１１、１２に開示するように、この考案による運動器具を用いてバランス運動を行う場合は、把持部３０の第１嵌着部の第１嵌着部３２をベース板１０の嵌着孔１４に嵌着し、次いで挿入溝３３に第２嵌着部５４を嵌着して把持部３０の弓状桿３１をベース板１０に取り付ける。この状態において弓状桿３１がベース板１０底面から突出し地面に接触する。よって回転盤１０上に立って身体のバランスを取ることによってバランス運動を行うことができる。
【００３３】
図１３、１４に開示するように弓状桿３１の両側の外部表面３１１は、円弧線を描く曲面を形成するか、もしくは傾斜面とする。よって、把持部３０の第１嵌着部の第１嵌着部３２の前後を入れ換えてベース板１０の嵌着孔１４、もしくは回転盤５０の第２嵌着部５４に嵌着して、弓状桿３１の地面に接触する状態を選択することができる。即ち、図１３に開示するように弓状桿３１の外部表面３１１の高くなった箇所が左右合わさって単一の支持点を形成するが、図１４に開示する状態においては弓状桿３１の外部表面３１１の高くなった箇所が外側に位置し２点の支持点を形成する。よって、図１３に開示する状態と、図１４に開示する状態とは、それぞれバランスを取る難易度が異なる。よって、この考案による運動器具は把持部３０を左右取り換えることによってバランス運動の難易度を調整し、高い難度にチャレンジするという面白味が得られる。
【００３４】
また、図１、７に開示するように、回転盤５０の両側に把持部３０の第１嵌着部に対応する第３嵌着部５８を設け、嵌着突起部３２を着脱自在に嵌着できるようにする。
第３嵌着部５０を回転盤５０の上面に設けた場合は、図１５に開示するように回転盤５０の左右両端に把持部３０が位置し、把持部３０を握って地面に伏して回転盤５０を回転させることによって、これまでにない新しいツイスト運動を行うことが可能になる。
【００３５】
第３嵌着部５０を回転盤５０の底面に設けた場合は、図１６に開示するように把持部３０を第３嵌着部５８に取り付けて地面に置き、足底で回転盤５０を踏むことによって、把持部３０の弓状桿３１を支点として前後に揺動させることによって下肢の筋を伸ばすなどの運動を行うことができ、また図１７に開示するように、オフィース、もしくは家で椅子に掛けた状態で、ミシンのペダルを踏むような動作を行うことで下肢の筋を伸ばすなどの運動を行うことができる。
【符号の説明】
【００３６】
１０                    ベース板
１１                    軸支部
１２                    第１貫通孔
１４                    嵌着孔
１３                    締結部材
１３１                ナット
２０                    球体支持部
２１                    球体支持座
２１１                第１板体
２１２                球体支持空間
２１３                ガイド溝
２１４                軸溝
２１５                第２板
２３                    転動体
２４                    緩衝体
３０                    把持部
３１                    弓状桿
３１１                外部表面
３２                    嵌着突起部
３３                    挿入溝
５０                    回転盤
５１                    第２軸支部
５１１                収納溝
５１２                第２貫通孔
５１３                キャップ
５２                    収納壁
５３                    レール
５４                    第２嵌着部
５５                    第１収納室
５５１                係合板
５８                    第３嵌着部
【図１】
0003191847.tif 000003
【図２】
0003191847.tif 000004
【図３】
0003191847.tif 000005
【図４】
0003191847.tif 000006
【図５】
0003191847.tif 000007
【図６】
0003191847.tif 000008
【図７】
0003191847.tif 000009
【図８】
0003191847.tif 000010
【図９】
0003191847.tif 000011
【図１０】
0003191847.tif 000012
【図１１】
0003191847.tif 000013
【図１２】
0003191847.tif 000014
【図１３】
0003191847.tif 000015
【図１４】
0003191847.tif 000016
【図１５】
0003191847.tif 000017
【図１６】
0003191847.tif 000018
【図１７】
0003191847.tif 000019
【手続補正書】
【提出日】平成26年4月21日(2014.4.21)
【手続補正１】
【補正対象書類名】実用新案登録請求の範囲
【補正対象項目名】請求項５
【補正方法】変更
【補正の内容】
【請求項５】
前記支軸の両端から緩衝体をそれぞれ挿通させ、かつ該緩衝体の一端を該転動体に穿設した軸支孔に挿設して該転動体と該第１板体との間に介在させることを特徴とする請求項４に記載の運動器具。
【手続補正２】
【補正対象書類名】明細書
【補正対象項目名】００１０
【補正方法】変更
【補正の内容】
【００１０】
請求項５に記載する運動器具は、請求項４における支軸の両端から緩衝体をそれぞれ挿通させ、かつ該緩衝体の一端を該転動体に穿設した軸支孔に挿設して該転動体と該第１板体との間に介在させる。